【手続補正書】
【提出日】平成27年1月8日(2015.1.8)
【手続補正１】
【補正対象書類名】特許請求の範囲
【補正対象項目名】請求項１
【補正方法】変更
【補正の内容】
【請求項１】
作業内容に対応して、交換工具を工具本体部に設けた取付部を貫通するロッキングボルトによって着脱交換可能に保持し、前記工具本体部側から前記交換工具に向かって突出する加圧部材によって前記交換工具を作動させる加圧工具において；
前記ロッキングボルトのシャンク外周に、ボルト頭側にあって一部を不連続としたロッキング用環状溝と、この環状溝の不連続部からシャンクに沿ってボルト先端側に延びつつ浅くなる斜面となったリリース溝と、このリリース溝よりもシャンクのボルト先端側に形成されそのボルト頭側の内壁がテーパ状斜面に形成された抜け止め用環状溝とを備え；
前記取付部には前記ロッキングボルトのロッキング用環状溝、リリース溝、抜け止め用環状溝に係入してこれらの間で移動可能としたロッキングピンを備え；
ロッキングボルトには、前記ボルト頭と前記取付部との間に縮装されてボルトをボルト頭方向に付勢するリリース用コイルバネを備える；
ことを特徴とする加圧工具。
【手続補正２】
【補正対象書類名】特許請求の範囲
【補正対象項目名】請求項２
【補正方法】変更
【補正の内容】
【請求項２】
加圧工具は、電動ポンプにより生成される油圧により加圧部材を駆動する電動油圧方式のものである請求項１の加圧工具。
【手続補正３】
【補正対象書類名】明細書
【補正対象項目名】０００１
【補正方法】変更
【補正の内容】
【０００１】
この発明は、作業内容に対応して、交換工具を工具本体部に設けた取付部にロッキングボルトによって着脱交換可能に保持し、前記工具本体部側から前記交換工具に向かって突出する加圧部材によって前記交換工具を作動させる加圧工具と、この加圧工具に前記交換工具を着脱するためのロッキングボルトとに関するものである。
【手続補正４】
【補正対象書類名】明細書
【補正対象項目名】０００５
【補正方法】変更
【補正の内容】
【０００５】
特許文献１に示されたロッキングボルト（５）は、断面円形のシャンクと、その一端に設けたボルト頭（１３）とからなり、シャンクには保持凹部（securing recess １０）と、シャンクの長手方向に延びる長溝（longitudinal groove １１）と、長溝１１を保持凹部１０から分けるブロック面（blocking surface １８）を形成している。保持凹部１０の深さは少なくとも長溝１１の深さに等しい。
【手続補正５】
【補正対象書類名】明細書
【補正対象項目名】０００９
【補正方法】変更
【補正の内容】
【０００９】
特許文献２は、この特許文献１に先行技術としてあげられたものである。この特許文献２には、ロッキングボルト７の一端に押し込み側に付勢されたシリンダ状のセキュリティセクタ１７を設け、このセキュリティセクタ１７に、先端を半球形にした保持ピン（locking pin １０）を環状の保持溝（security sector ２７）から追い出すための斜面（bevelled part ２９、running-up slope）を形成したもの（本件特許第１欄第３３〜６１行  ＢＡＣＫＧＲＯＵＮＤ  ＯＦ  ＴＨＥ  ＩＮＶＥＮＴＩＯＮ）。すなわち、セキュリティセクタ１７をプル側（押し込み側と反対側）に引っ張ることによって、セキュリティセクタ１７の斜面２９が保持ピン１０を外側（環状溝から外側へ押す方向）に押し出してロックを解除し、ロックボルト７をセキュリティセクタ１７と共にリリースするものである。
【手続補正６】
【補正対象書類名】明細書
【補正対象項目名】００１６
【補正方法】変更
【補正の内容】
【００１６】
この発明によれば第１の目的は、作業内容に対応して、交換工具を工具本体部に設けた取付部を貫通するロッキングボルトによって着脱交換可能に保持し、前記工具本体部側から前記交換工具に向かって突出する加圧部材によって前記交換工具を作動させる加圧工具において；
前記ロッキングボルトのシャンク外周に、ボルト頭側にあって一部を不連続としたロッキング用環状溝と、この環状溝の不連続部からシャンクに沿ってボルト先端側に延びつつ浅くなる斜面となったリリース溝と、このリリース溝よりもシャンクのボルト先端側に形成されそのボルト頭側の内壁がテーパ状斜面に形成された抜け止め用環状溝とを備え；
前記取付部には前記ロッキングボルトのロッキング用環状溝、リリース溝、抜け止め用環状溝に係入してこれらの間で移動可能としたロッキングピンを備え；
ロッキングボルトには、前記ボルト頭と前記取付部との間に縮装されてボルトをボルト頭方向に付勢するリリース用コイルバネを備える；ことを特徴とする加圧工具、により達成される。
【手続補正７】
【補正対象書類名】明細書
【補正対象項目名】００１８
【補正方法】変更
【補正の内容】
【００１８】
この発明によれば、ボルト頭側のロッキング用環状溝にロッキングピン（係止ピン）を係入させたロック位置では、ボルトはこの環状溝の範囲で回動可能であり、交換工具の作動時にボルトに圧力が加わる位置をボルトの回動位置を変化させることにより変えることができる。このためボルトの摩耗位置を変えてその耐久性を向上させることができる。またボルト外周への潤滑オイルの供給を容易にすることができる。さらに、部品点数が少なく、構造が簡単であり、ボルトのロック、リリース操作が簡単である。第２の発明によれば、この加圧工具に用いるロッキングボルトが得られる。
【手続補正８】
【補正対象書類名】明細書
【補正対象項目名】００２４
【補正方法】変更
【補正の内容】
【００２４】
図１〜３に示す加圧工具１００は、ケーブル端などに圧着端子を圧着するために用いる圧着工具である。この圧着工具（加圧工具）１００は、グリップ可能な棒状の本体部１２と、その先端に固定された取付部１４と、この取付部１４に装着された交換工具１６とを有する。
【手続補正９】
【補正対象書類名】明細書
【補正対象項目名】００２６
【補正方法】変更
【補正の内容】
【００２６】
工具本体部１２には、充電可能な電池と、電動モータと、この電動モータにより駆動される油圧ポンプと、制御回路（いずれも図示せず）と、この油圧ポンプの油圧により突出方向に駆動される加圧部材２２（図２、３）とが組み込まれている。ここに本体部１２の上端にはシリンダケース２４が固定され、ここに収納されたシリンダ２６が前記足部１８ａ、１８ｂの間から上方へシリンダロッドを突出させる。このシリンダロッドが前記加圧部材２２となっている。
【手続補正１０】
【補正対象書類名】明細書
【補正対象項目名】００３５
【補正方法】変更
【補正の内容】
【００３５】
ロッキングボルト２０を装着すると、リリース用のコイルバネ６２は、一端がシャンク４０とボルト頭４２との間の間隙に保持され、他端が足部１８ａ側の外面に保持され、ロッキングボルト２０に正面方向への復帰習性が付与される。この時足部１８ａの小孔７０に先端から細いロッド（図示せず）を挿入し、シャンク４０の抜け止め用環状溝５８に開口する小孔７０を通してロッキングピン６４を押し込みつつシャンク４０を挿入する。この結果ロッキングピン６４は抜け止め用環状溝５８に係入する。この状態は図５（Ｃ）に示すリリース時の状態である。なおこの小孔７０はロッキングピン６４よりも小径で、このピン６４が小孔７０内に進入することはない。
【手続補正１１】
【補正対象書類名】明細書
【補正対象項目名】００４１
【補正方法】変更
【補正の内容】
【００４１】
１００  加圧工具
１４  取付部
１６  交換工具
１８  足部
２０  ロッキングボルト
２２  加圧部材（ピストンロッド）
２８  顎部材
３０  貫通孔
４０  シャンク
４２  ボルト頭
５０  ロッキング用環状溝
５２  不連続部
５４  リリース溝
５６  凸部（抵抗付与部）
５８  抜け止め用環状溝
６０  斜面
６２  リリース用コイルバネ
６４  ロッキングピン
６８  ピン付勢用コイルバネ
【手続補正１２】
【補正対象書類名】図面
【補正対象項目名】図１
【補正方法】変更
【補正の内容】
【図１】
2013169573.tif 000001
【手続補正１３】
【補正対象書類名】図面
【補正対象項目名】図５
【補正方法】変更
【補正の内容】
【図５】
2013169573.tif 000002
【手続補正１４】
【補正対象書類名】図面
【補正対象項目名】図６
【補正方法】変更
【補正の内容】
【図６】
2013169573.tif 000003
【手続補正１５】
【補正対象書類名】図面
【補正対象項目名】図７
【補正方法】変更
【補正の内容】
【図７】
2013169573.tif 000004